(57)【要約】      （修正有）【課題】使用者ができるだけリラックスした状態でマッサージできるマッサージ機を提供する。【解決手段】シート部３１、シートバック部３２、背中マッサージ機構を備えたマッサージ機本体３０と、腕部をマッサージするアームマッサージ機構が配置されたアームレスト部４０Ｒ、４０Ｌと、使用者のふくらはぎ部をマッサージするレッグマッサージ機構が配置されたレッグレスト部５０と、保持された使用者の足部をマッサージするフットマッサージ機構が配置されたフットレスト部６０と、マッサージ機本体の設置角度を変更する本体傾動機構と、レッグレスト部のマッサージ機本体に対する角度を変更するレッグレスト部回動機構と、を備え、各マッサージ機構の駆動を制御して使用者に予め定めた手順でマッサージを行うマッサージ機１０であって、シートバック部３２の上部に、使用者の頭部を覆う状態に配置できるヘッドカバー部材７０を備える。【選択図】図１
0003218228.tif 000002
【実用新案登録請求の範囲】
【請求項１】
使用者が着座するシート部、及び着座状態で前記使用者の背中をマッサージする背中マッサージ機構を配置したシートバック部を備えたマッサージ機本体と、
前記使用者の腕部を保持し、保持された前記使用者の腕部をマッサージするアームマッサージ機構が配置されたアームレスト部と、
前記使用者の膝部から足首部までのふくらはぎ部を保持し、保持された前記使用者のふくらはぎ部をマッサージするレッグマッサージ機構が配置されたレッグレスト部と、
前記使用者の足首部から下の足部を保持し、保持された前記使用者の足部をマッサージするフットマッサージ機構が配置されたフットレスト部と、
前記マッサージ機本体の設置角度を変更する本体傾動機構と、
前記レッグレスト部の前記マッサージ機本体に対する角度を変更するレッグレスト部回動機構と、を備え、
前記背中マッサージ機構、前記アームマッサージ機構、前記レッグマッサージ機構、及び前記フットマッサージ機構の駆動を制御して前記使用者に予め定めた手順でマッサージを行うマッサージ機であって、
前記シートバック部の上部に、着座状態である前記使用者の頭部を覆うヘッドカバー部材を開閉可能に備えることを特徴とするマッサージ機。
【請求項２】
前記ヘッドカバー部材は遮光性及び遮音性を有する素材で形成されており、前記使用者の頭部への光及び音を遮蔽できることを特徴とする請求項１に記載のマッサージ機。
【請求項３】
前記ヘッドカバー部材は、前記使用者の顔部及び側頭部を覆うドーム型であることを特徴とする請求項１に記載のマッサージ機。
【考案の詳細な説明】
【技術分野】
【０００１】
本考案は、椅子形のマッサージ機に関する。
【背景技術】
【０００２】
従来、椅子形のマッサージ機は、着座した状態で背中をマッサージすることができ、様々なものが使用されている。また、このようなマッサージ機には、腕部や脚部、足部をマッサージするように構成されるものがある。このようなマッサージ機として、以下のものが提案されている。
【０００３】
特許文献１には、施療者が座るための座部と、施療者の腕部の荷重を支持するための肘掛部と、施療者の腕、手のひら、指先のいずれかをマッサージする機構を備えたマッサージ機であって、腕、手のひら、指先のいずれか１つの部位を固定するための固定機構と、該固定機構で固定した腕、手のひら、指先のいずれか１つの部位に対して、該固定した１つの部位と同じ側の固定していない腕、手のひら、指先のいずれか他の１つの部位を相対的に上方向或いは下方向に移動させるための移動機構とを有するマッサージ機が記載されている。
【０００４】
また、特許文献２には、使用者が着座する座部と、使用者に対しマッサージ動作を行う施療部と、前記座部の後部に傾動可能に設けられた背凭れ部と、前記座部の前部に上下方向へ回動可能に設けられた脚載部と、前記背凭れ部の傾動に連動して前記脚載部を回動させる連動部材と、を備え、前記脚載部は、前記座部の前部に上下方向へ回動可能に設けられた脚載部本体と、前記連動部材と前記脚載部本体との間に配置されて上下方向へ揺動可能に設けられた回動駆動部としてのエアセルと、を有し、前記脚載部は、前記エアセルが収縮状態において前記連動部材を介して前記背凭れ部の傾動に連動して回動可能であると共に、前記エアセルが膨張収縮することによって、前記連動部材に対する前記脚載部本体の位置を変更して前記脚載部本体を任意の位置に回動させることができる椅子型マッサージ機が記載されている。
【先行技術文献】
【特許文献】
【０００５】
【特許文献１】特許第４５４４１９６号公報
【特許文献２】特許第５７３３８８９号公報
【考案の概要】
【考案が解決しようとする課題】
【０００６】
しかしながら、従来のマッサージ機において、使用者は周囲の光や騒音が気になり、リラックスしてマッサージを受けることができない、という問題がある。
【０００７】
本考案は、上記実情を鑑みてなされたものであり、マッサージ機の使用者がリラックスした状態でマッサージを受けることができるマッサージ機を提供することを目的とする。
【課題を解決するための手段】
【０００８】
前記課題を解決する請求項１に記載の考案は、使用者が着座するシート部、及び着座状態で前記使用者の背中をマッサージする背中マッサージ機構を配置したシートバック部を備えたマッサージ機本体と、前記使用者の腕部を保持し、保持された前記使用者の腕部をマッサージするアームマッサージ機構が配置されたアームレスト部と、前記使用者の膝部から足首部までのふくらはぎ部を保持し、保持された前記使用者のふくらはぎ部をマッサージするレッグマッサージ機構が配置されたレッグレスト部と、前記使用者の足首部から下の足部を保持し、保持された前記使用者の足部をマッサージするフットマッサージ機構が配置されたフットレスト部と、前記マッサージ機本体の設置角度を変更する本体傾動機構と、前記レッグレスト部の前記マッサージ機本体に対する角度を変更するレッグレスト部回動機構と、を備え、前記背中マッサージ機構、前記アームマッサージ機構、前記レッグマッサージ機構、及び前記フットマッサージ機構の駆動を制御して前記使用者に予め定めた手順でマッサージを行うマッサージ機であって、前記シートバック部の上部に、着座状態である前記使用者の頭部を覆うヘッドカバー部材を開閉可能に備えることを特徴とするマッサージ機である。
【０００９】
本考案によれば、使用者は、マッサージ機本体に着座した状態で、背中、腕部、ふくらはぎ部、及び足部を所定の手順でマッサージされ、このとき、使用者の頭部はヘッドカバー部材で覆われる。このため、使用者の頭部はヘッドカバー部で周囲の環境から遮断された状態となり、使用者はリラックスした状態でマッサージを受けることができる。
【００１０】
同じく請求項２に記載の考案は、前記ヘッドカバー部材は遮光性及び遮音性の部材で形成されており、前記使用者の頭部への光及び音を遮蔽できることを特徴とする。
【００１１】
本考案によれば、ヘッドカバー部材は周囲の光と音声とを遮るので、使用者はマッサージ機の設置環境の光や音に影響を受けることなくリラックスした状態でマッサージを受けることができる。
【００１２】
同じく請求項３に記載の考案は、前記ヘッドカバー部材は、前記使用者の顔部及び側頭部を覆うドーム型であることを特徴とする。
【００１３】
本考案によれば、ヘッドカバー部材はドーム型であり使用者の顔部及び側頭部を覆う。このため、使用者は周囲の環境から顔部及び側頭部が覆われ、視角と聴覚が遮断されることになり、リラックスした状態でマッサージを受けることができる。
【考案の効果】
【００１４】
本考案に係るマッサージ機によれば、使用者がリラックスした状態でマッサージを受けることができ、マッサージの効果が増進される。
【００１５】
即ち、請求項１に記載のマッサージ機によれば、使用者はマッサージ機本体に着座した状態で、背中、腕部、ふくらはぎ部、及び足部を所定の手順でマッサージされ、このとき、頭部をヘッドカバー部材で覆われる。このため、使用者の頭部は周囲の環境から遮断された状態となり、使用者はリラックスした状態でマッサージを受けることができる。
【００１６】
また、請求項２に記載のマッサージ機によれば、ヘッドカバー部材は周囲の光と音声とを遮るので、使用者はマッサージ機の設置環境の光や音に影響を受けることなくリラックスした状態でマッサージを受けることができる。
【００１７】
そして、請求項３に記載のマッサージ機によれば、ヘッドカバー部材はドーム型であり使用者の顔部及び側頭部を覆う。このため、使用者は周囲の環境から顔部及び側頭部が覆われ、視角と聴覚が遮断されることになり、リラックスした状態でマッサージを受けることができる。
【図面の簡単な説明】
【００１８】
【図１】本考案の実施形態に係るマッサージ機を示す斜視図である。
【図２】同マッサージ機を各マッサージ機構部及び使用者の輪郭と共に示す正面図である。
【図３】同マッサージ機を示すものであり、（ａ）はマッサージ機本体を立てた状態を示す側面図、（ｂ）はマッサージ機本体を倒した状態を示す側面図である。
【図４】同マッサージ機を示すものであり、（ａ）はレッグレスト部を下げた状態を示す側面図、（ｂ）はレッグレスト部を上げた状態を示す側面図である。
【図５】同マッサージ機を示すものであり、（ａ）はヘッドカバー部材を開けた状態を示す側面図、（ｂ）はヘッドカバー部材を閉めた状態を示す側面図である。
【考案を実施するための形態】
【００１９】
本考案を実施するための形態に係るマッサージ機について説明する。図１は本考案の実施形態に係るマッサージ機を示す斜視図、図２は同マッサージ機をそのマッサージ機構部及び使用者の輪郭と共に示す正面図である。
【００２０】
本実施形態に係るマッサージ機１０は、図１に示すように、ベース部２０と、マッサージ機本体３０と、左右のアームレスト部４０Ｒ、４０Ｌと、レッグレスト部５０と、フットレスト部６０と、ヘッドカバー部材７０とを備えて構成される。また、マッサージ機１０は、駆動源である空気圧アクチュエーター、電動アクチュエーター、及びこれらの駆動源を制御する制御手段を備えている。
【００２１】
制御手段は、各アクチュエーターが予め定められたマッサージのコースや強度に従うよう駆動を制御する。制御手段としては制御プログラムを実行するコンピューターを使用することができる。マッサージ機１０におけるマッサージのコース等の選択や指示は、使用者１５０が操作パネル８０からて行う。操作パネル８０はタッチセンサーを備えた液晶表示装置を使用することができる。
【００２２】
ベース部２０は床等の設置面に配置される。マッサージ機本体３０は、ベース部２０の上部に配置される。またマッサージ機本体３０は、使用者１５０（図２参照）が着座するシート部３１と、使用者１５０が背中１５２を預けるシートバック部３２と、頭部１５１を預けるヘッドレスト部３３とを備える。
【００２３】
マッサージ機１０において、シートバック部３２には、図２に示すように、使用者１５０の背中１５２の背骨両側をマッサージする背中マッサージ機構１１０が配置されている。背中マッサージ機構１１０は、もみ玉等を備える。もみ玉等は、電動アクチュエーターで駆動され、マッサージ強度、もみ玉の間隔を変更可能である。また、もみ玉は、背中マッサージ機構１１０に備えられたセンサーの検出結果に基づいて上下に沿って位置の変更が可変である。
【００２４】
左右のアームレスト部４０Ｒ、４０Ｌは、マッサージ機本体３０の左右両側に設置されている。なお、右側（Ｒ）、左側（Ｌ）は、使用者からの視点による。アームレスト部４０Ｒ、４０Ｌには、使用者１５０の左右の腕部１５３Ｒ、１５３Ｌを保持できる腕保持部４１Ｒ、４１Ｌをそれぞれ備える。腕保持部４１Ｒ、４１Ｌは略水平に延びる溝部であり、それぞれ上部、下部、及び外側部に壁部を備える。
【００２５】
また、腕保持部４１Ｒ、４１Ｌには、腕部１５３Ｒ、１５３Ｌをマッサージする腕マッサージ機構を備える。腕マッサージ機構は、腕保持部４１Ｒ、４１Ｌにおいてそれぞれ腕部１５３Ｒ、１５３Ｌを挟んで上下に配置された空気圧アクチュエーターであるエアバッグ１２１、１２２、１２３、１２４を備えて構成され。
【００２６】
これらのエアバッグ１２１、１２２、１２３、１２４は空気源及び制御手段により予め指定された手順で拡開、収縮駆動され、腕部１５３Ｒ、１５３Ｌをマッサージする。
【００２７】
レッグレスト部５０は、マッサージ機本体３０に対してマッサージ機本体３０側の基部を軸として先端側を上下に回動可能に設けられている。この回動動作は、例えば制御手段で制御される電動アクチュエーターによりなされる。レッグレスト部５０の下端にはフットレスト部６０が配置されている。レッグレスト部５０とフットレスト部６０とは角度が固定されて接続されている。
【００２８】
レッグレスト部５０には、使用者１５０のふくらはぎ部１５４Ｒ、１５４Ｌが保持されるレッグ保持部５１Ｒ、５１Ｌが設けられている。レッグ保持部５１Ｒ、５１Ｌは、上下に延びる溝部であり、それぞれ左右両側及び後側部に壁部を備える。また、レッグ保持部５１Ｒ、５１Ｌには、使用者１５０のふくらはぎ部１５４Ｒ、１５４Ｌをマッサージするレッグマッサージ機構を備える。
【００２９】
レッグマッサージ機構は、レッグ保持部５１Ｒ、５１Ｌのそれぞれにおいて、ふくらはぎ部１５４Ｒ、１５４Ｌを挟んで左右に配置された空気圧アクチュエーターであるエアバッグ１３１、１３２、１３３、１３４を備えて構成される。
【００３０】
これらのエアバッグ１３１、１３２、１３３、１３４は空気源及び制御手段により予め指定された手順で拡開、収縮駆動され、ふくらはぎ部１５４Ｒ、１５４Ｌをマッサージする。
【００３１】
フットレスト部６０には、使用者１５０の足部１５５Ｒ、１５５Ｌが保持されるフット保持部６１Ｒ、６１Ｌが設けられている。フット保持部６１Ｒ、６１Ｌは、略水平に延びる溝部であり、それぞれ左右両側、下側及び後側部に壁部を備える。また、フット保持部６１Ｒ、６１Ｌには、使用者１５０の足部１５５Ｒ、１５５Ｌをマッサージするフットマッサージ機構を備える。
【００３２】
フットマッサージ機構は、レッグ保持部５１Ｒ、５１Ｌにおいてそれぞれ足部１５５Ｒ、１５５Ｌを挟んで左右に配置された、空気圧アクチュエーターであるエアバッグ１４１、１４２、１４３、１４４と、電動アクチュエーターで駆動される足部１５５Ｒ、１５５Ｌの裏部（足の裏）をマッサージする足裏マッサージ機構１４５、１４６とを備えて構成される。
【００３３】
これらのエアバッグ１４１、１４２、１４３、１４４は空気源により駆動される。足裏マッサージ機構１４５、１４６はもみ玉等を電動アクチュエーターにより駆動される。両者は制御手段で駆動が制御され、足部１５５Ｒ、１５５Ｌをマッサージする。
【００３４】
本実施形態に係るマッサージ機本体３０は、ベース部２０に傾斜角度を変更する本体傾動機構を備える。本体傾動機構は電動アクチュエーターによって駆動される。図３は同マッサージ機を示すものであり、（ａ）はマッサージ機本体を立てた状態を示す側面図、（ｂ）はマッサージ機本体を倒した状態を示す側面図である。
【００３５】
これにより、マッサージ機本体３０は、図３（ａ）に示す状態から、同図（ｂ）に示す状態に回転駆動される（図３中矢印Ａ）。マッサージ機１０を図３（ｂ）に示す状態にすると、使用者１５０のふくらはぎ部１５４Ｒ、１５４Ｌ及び足部１５５Ｒ、１５５Ｌが使用者１５０の心臓の位置よりも高くなるようにできる。これにより、使用者１５０は無重量状態に近い感覚を得てリラックスした状態となる。
【００３６】
また、本実施形態に係るマッサージ機１０は、レッグレスト部５０及びフットレスト部６０をマッサージ機本体３０に対して回転するレッグレスト部回動機構を備える。このレッグレスト部回動機構は電動アクチュエーターにより駆動される。図４は同マッサージ機を示すものであり、（ａ）はレッグレスト部及びフットレスト部を下げた状態を示す側面図、（ｂ）はレッグレスト部及びフットレスト部を上げた状態を示す側面図である。
【００３７】
これにより、マッサージ機本体３０は、図４（ａ）に示す状態から、同図（ｂ）に示す状態に駆動される（図４中矢印Ｂ）。マッサージ機１０を図４（ａ）に示す状態から図（ｂ）示す状態にすると、使用者１５０のふくらはぎ部１５４Ｒ、１５４Ｌ、及び足部１５５Ｒ、１５５Ｌが固定された状態で付け根から上方にむけて回転方向に押され、使用者１５０の脚部の筋肉ストレッチを行うことができる。
【００３８】
そして、本実施形態に係るマッサージ機１０のヘッドカバー部材７０は、シートバック部３２の上部に開閉可能に設けられている。ヘッドカバー部材７０は、ドーム状のカバー本体７１を軸部７２においてマッサージ機本体３０に回転可能に配置されている（図５中矢印Ｃ）。
【００３９】
ヘッドカバー部材７０は、図５（ｂ）に示すように、前側に倒す（閉状態）として、マッサージ機本体３０に着座した使用者１５０の頭部１５１を覆うことができる。これにより、使用者１５０の顔部及び側頭部が周囲の環境から遮蔽される。
【００４０】
また、ヘッドカバー部材７０は、使用していない状態や、使用者１５０が希望しない場合、図４（ａ）に示すように、軸部７２を中心に回転して後方に移動しておくこと（開状態）ができる。これにより、ヘッドカバー部材７０のシートバック部３２の上後側に格納することができる。
【００４１】
本実施形態において、ヘッドカバー部材７０は遮光性及び遮音性素材、例えば黒色の硬質合成樹脂製や黒色に塗装した金属製のドーム型の部材である。なお、ヘッドカバー部材７０の素材は適宜変更できる。またヘッドカバー部材７０を半透明の部材とすることができる。ヘッドカバー部材７０は、使用者の顔部及び側頭部を覆い頭部への光及び音を遮蔽する。なお、ヘッドカバー部材７０の内部には、遮音材を配置して内部の反響を抑止することができる。また、ヘッドカバー部材７０の開閉は手動又は電動アクチュエーターにより行うことができる。
【００４２】
本実施形態に係るマッサージ機１０では、使用者１５０が使用中に、ヘッドカバー部材７０を回転してヘッドカバー部材７０が使用者１５０の頭部１５１を上部及び側部から覆い視角及び聴覚を周囲の環境から遮断することができる。これにより、マッサージ機１０の使用者１５０は、リラックスした状態でマッサージ機１０によるマッサージを受けることができる。
【産業上の利用可能性】
【００４３】
以上のように、本考案に係るマッサージ機は、使用者がリラックスした状態でマッサージを受けることができ、マッサージの効果が増加するので産業上の利用可能性がある。
【符号の説明】
【００４４】
１０：マッサージ機
２０：ベース部
３０：マッサージ機本体
３１：シート部
３２：シートバック部
３３：ヘッドレスト部
４０Ｒ：アームレスト部
４０Ｌ：アームレスト部
４１Ｒ：腕保持部
４１Ｌ：腕保持部
５０：レッグレスト部
５１Ｒ：レッグ保持部
５１Ｌ：レッグ保持部
６０：フットレスト部
６１Ｒ：フット保持部
６１Ｌ：フット保持部
７０：ヘッドカバー部材
７１：カバー本体
７２：軸部
８０：操作パネル
１１０：背中マッサージ機構
１２１〜１２４：エアバッグ
１３１〜１３４：エアバッグ
１４１〜１４４：エアバッグ
１４５、１４６：足裏マッサージ機構
１５０：使用者
１５１：頭部
１５２：背中
１５３Ｒ：腕部
１５３Ｌ：腕部
１５４Ｒ：ふくらはぎ部
１５４Ｌ：ふくらはぎ部
１５５Ｒ：足部
１５５Ｌ：足部
【図１】
0003218228.tif 000003
【図２】
0003218228.tif 000004
【図３】
0003218228.tif 000005
【図４】
0003218228.tif 000006
【図５】
0003218228.tif 000007